(57)【特許請求の範囲】
【請求項１】
悪臭を放つ空気の中に含まれている湿気を取り除くための多数の放熱板によって形成された除湿手段と、この除湿手段によって除湿された後の空気の中に含まれている悪臭を取り除くための筒状電極とこの筒状電極の一側外部近傍の中心に設けられた針状電極とによって形成されてオゾンを発生する第一の脱臭手段と、この第一の脱臭手段により取り除かれた空気の中に含まれている悪臭のさらに残存悪臭を取り除くための活性炭をベースにした脱臭剤と銅カルボキシルメチルセルロース誘導体をベースにした脱臭剤とからなる第二の脱臭手段とを備えるとともに、上記除湿手段を有する箱体と第一の脱臭手段を有する箱体および第一の脱臭手段を有する箱体と第二の脱臭手段を有する箱体とをそれぞれ通気管を介して連結し、かつ上記各箱体を配管を介して上記各箱体内で集まった水滴を貯蔵する貯蔵タンクに接続したことを特徴とする脱臭装置。
【発明の詳細な説明】
【０００１】
【発明の属する技術分野】
本発明は脱臭装置、詳しくは悪臭、特に生ゴミ処理過程において発生するアンモニア系の悪臭を含む悪臭を取ることに優れている脱臭装置に関する。
【０００２】
【従来の技術】
従来、塵埃を取るためのフイルターと悪臭を取るための活性炭フィルタートとを組み合わせた構成の脱臭装置が知られている。
【０００３】
【発明が解決しようとする課題】
然し乍ら、このような脱臭装置はアンモニア系の悪臭を取ることには適しておらず、したがって、アンモニア系の悪臭が発生する場所、特に生ゴミを処理するところでは使用することができない問題点があった。
【０００４】
本発明は上記問題点を解決し、悪臭はもとよりアンモニア系の悪臭にも対応することができる脱臭装置を提案することをその課題とする。
【０００５】
【課題を解決するための手段】
前記課題を解決するための手段として、本発明に係る請求項１の脱臭装置は、悪臭を放つ空気の中に含まれている湿気を取り除くための多数の放熱板によって形成された除湿手段と、この除湿手段によって除湿された後の空気の中に含まれている悪臭を取り除くための筒状電極とこの筒状電極の一側外部近傍の中心に設けられた針状電極とによって形成されてオゾンを発生する第一の脱臭手段と、この第一の脱臭手段により取り除かれた空気の中に含まれている悪臭のさらに残存悪臭を取り除くための活性炭をベースにした脱臭剤と銅カルボキシルメチルセルロース誘導体をベースにした脱臭剤とからなる第二の脱臭手段とを備えるとともに、上記除湿手段を有する箱体と第一の脱臭手段を有する箱体および第一の脱臭手段を有する箱体と第二の脱臭手段を有する箱体とをそれぞれ通気管を介して連結し、かつ上記各箱体を配管を介して上記各箱体内で集まった水滴を貯蔵する貯蔵タンクに接続したことを特徴とする。
【０００６】
【発明の実施の形態】
以下、図面によって本発明の実施の形態の一例について説明する。
【０００７】
図１において、符号１は本発明に係る脱臭装置を示し、この脱臭装置１はケーシング２内に納められた悪臭を放つ空気の中に含まれている湿気を取り除くための除湿手段３と、除湿された後の空気の中に含まれている悪臭を取り除くための第一の脱臭手段４と、取り除かれた空気の中に含まれている悪臭のさらに残存悪臭を取り除くための第二の脱臭手段５とによって主に構成されている。
【０００８】
除湿手段３は、箱体７内に四列で上下方向に多数等間隔に配置された放熱板８によって形成されると供に、前記箱体７の下部一側にはケーシング２の外部に通じる空気取り入れ口９が取着されている。また、箱体７の内部中央には通気管１０が配置されており、この通気管１０の上端は前記箱体７の上部に位置され、下部は底部から突出されている。
【０００９】
箱体７の底部にはケーシング２内の下部に配置された貯蔵タンク１２に接続される配水管１３が取着されると供に、この配水管１３は蛇腹状の連結部材１４を介して前記貯蔵タンク１２に接続されている。また、貯蔵タンク１２の内部の排水管１５付近には仕切り板１６が設けられている。
【００１０】
空気取り入れ口９から箱体７内に導かれた空気の温度は放熱板８の放熱効果によって約２０〜３０度くらい下がるように形成するのが好ましい。そして、このときに生じる水滴１８が集まって配水管１３を通って貯蔵タンク１２に流入されるように形成されている。
【００１１】
次に、第一の脱臭手段４は箱体２０内の上下に対向するように配置されると供に、図２に示すように腐食しない導電性の合金等からなる筒状電極２１と、この筒状電極２１の一側外部近傍の中心に設けられた腐食しない導電性金属等からなる針状電極２２とによって形成される。そして、前記筒状電極２１と針状電極２２とによって放電電極２３が構成されると供に、この放電電極２３は合成樹脂等の絶縁材料からなる略円筒形の取着部材２４に取着されている。
【００１２】
第一の脱臭手段４は筒状電極２１と針状電極２２とによって構成された放電電極２３間に高電圧発生装置（図示せず）を介して直流の高電圧を印加することで、前記筒状電極２１内が帯電してクーロン力とコロナ放電による放電エネルギーとによって発生するイオン及びオゾンを含む風を筒状電極２１の他方のから吹き出すように形成されている。
【００１３】
なお、高電圧発生装置の正電位側のリ−ド線は筒状電極２２に負電位側のリ−ド線は針状電極２１にそれぞれ結線されている。ただし、場合によっては反対に結線するようにしてもよい。
【００１４】
箱体２０内の一側には通気管２７が配置されており、この通気管２７の上端は前記箱体２０の上部に位置され、下部は底部から突出されている。また、箱体２０の底部中央には通気管２８が設けられており、この通気管２８は通気管１０と連結部材２９を介して連結されている。そして、前記通気管２８には貯蔵タンク１２に接続される配水管３０が取着されると供に、この配水管３０は蛇腹状の連結部材１４を介して前記貯蔵タンク１２に接続されている。
【００１５】
前記箱体２０内に賜った水滴１８は配水管３０を通って貯蔵タンク１２に流入されるように形成されている。
【００１６】
次に、第二の脱臭手段５は箱体３３内の上下に分割されて収納された脱臭剤３４、３５によって形成されると供に、前記脱臭剤３４は化学処理された活性炭をベースにしたものを使用し、前記脱臭剤３５は銅カルボキシルメチルセルロース系のセルロース誘導体をベースにしたものを使用している。前記第二の脱臭手段５は脱臭はもとより、特にアンモニア系の脱臭に効果を発揮する。
【００１７】
箱体３３の上部には排気ファン３７と空気吐き出し口３８が、下部一側には通気管２７が接続されており、また、底部には貯蔵タンク１２に接続される配水管３９が取着されると供に、この配水管３９は蛇腹状の連結部材１４を介して前記貯蔵タンク１２に接続されている。
【００１８】
脱臭装置１は上述のように構成されているので、例えば生ゴミを処理する施設においての使用について説明すると、まず、空気取り入れ口９から吸い込まれた悪臭を含む空気（約７０度）は除湿手段３を形成する箱体７内に配置された放熱板８の放熱効果によって約４０〜５０度くらいまで下げることができる。このときに出る水滴１８は集まって配水管１３を通って貯蔵タンク１２に流入する。
【００１９】
次に、温度が下がった状態の空気は第一の脱臭手段４の箱体２０内に導かれると供に、この箱体２０内には筒状電極２１と針状電極２２とによって形成された放電電極２３が配置され、且つこの放電電極２３間に高電圧発生装置（図示せず）を介して直流の高電圧が印加されているので、前記筒状電極２１内が帯電してクーロン力とコロナ放電による放電エネルギーとによって発生するイオン及びオゾンを含む風が筒状電極２１の他方のから吹き出しているので、前記イオン及びオゾンによって前記空気中に含まれている悪臭を取り除くことができる。
【００２０】
また、箱体２０内の水滴１８は集まって配水管３０を通って貯蔵タンク１２に流入すると供に、前記水滴１８は箱体２０内でイオン及びオゾンを含む風に触れているので、オゾン殺菌効果が得られる。
【００２１】
さらに、悪臭を取り除かれた空気は第二の脱臭手段５の箱体３３内に導かれると供に、この箱体３３内には化学処理された活性炭をベースにした脱臭剤３４と銅カルボキシルメチルセルロース系のセルロース誘導体をベースにした脱臭剤３５とが収納されているので、この脱臭剤３４、３５を通過することによって空気中の残存悪臭はもとよりアンモニア系の悪臭も確実に取り除くことができる。
【００２２】
また、箱体３３内の水滴１８は集まって配水管３９を通って貯蔵タンク１２に流入すると供に、前記水滴１８はイオン及びオゾンを含む風に触れているので、オゾン殺菌効果が得られる。
【００２３】
貯蔵タンク１２に溜った水は下水道に排水されるものであるが、この場合、前記水はオゾン殺菌がなされているので衛生的である。
【００２４】
上述のように脱臭装置１によれば、生ゴミを処理するところにおいて発生する悪臭を含む温度の高い空気を除湿手段３を形成する放熱板８によって下げることができる。
【００２５】
また、第一の脱臭手段４の筒状電極２１と針状電極２２とによって形成された放電電極２３から発生するイオン及びオゾンによって空気中に含まれている悪臭を取り除くことができる。
【００２６】
さらに、第二の脱臭手段５の化学処理された活性炭をベースにした脱臭剤３４と銅カルボキシルメチルセルロース系のセルロース誘導体をベースにした脱臭剤３５とを悪臭を含む空気が通過することによって空気中の残存悪臭とともにアンモニア系の悪臭を確実に取ることができる。
【００２７】
さらにまた、貯蔵タンク１２に溜った水は下水道に排水する。この場合、この水はオゾン殺菌されているので衛生的である。
【００２８】
【発明の効果】
前記構成のように、本発明に係る請求項１の脱臭装置によれば、悪臭を放つ空気中の湿気を取り除くための除湿手段と、除湿された空気中の悪臭を取り除く筒状電極と針状電極とによってイオンとオゾンを発生させる第一の脱臭手段と、残存悪臭を取り除くための活性炭とアンモニア系の脱臭に優れた銅カルボキシルメチルセルロース系脱臭剤とからなる第二の脱臭手段とを備えているので、空気中の脱臭はもとより特にアンモニア系の悪臭を確実に取ることができる。さらに、除湿手段と第一の脱臭手段と第二の脱臭手段を有する箱体に集まった水滴は貯蔵タンクに貯蔵されるが、第一の脱臭手段によって発生したオゾンが配管や通気管を通って貯蔵タンク内の水を殺菌するので、衛生的である。
【図面の簡単な説明】
【図１】  本発明に係る脱臭装置の内部構造を示す説明図
【図２】  筒状電極と針状電極とによって形成された放電電極の縦断面図
【符号の説明】
１  脱臭装置
３  除湿手段
４  第一の脱臭手段
５  第二の脱臭手段
【図１】
0003992255.tif 000002
【図２】
0003992255.tif 000003